(57)【要約】【課題】  便器に溜水を給水するための給水管を水道に接続し、給水管に電磁弁を設けると共に前記電磁弁を動作させるための制御部を設け、断水時にこれを検知して前記電磁弁を閉じるように制御する便器装置において、断水時に通常時と同様の便器洗浄を行うことができる便器装置を提供する。【解決手段】  便器１に溜水Ｗを給水するための給水管３を水道Ｓに接続し、給水管３に電磁弁３１を設けると共に前記電磁弁３１を動作させるための制御部４を設け、断水時にこれを検知して前記電磁弁３１を閉じるように制御する便器装置において、給水管３の電磁弁３１よりも下流側の部分に該給水管３内に給水するための給水口３２および開閉弁３３を設けた。【選択図】        図１
2006200266.tif 000002
【特許請求の範囲】
【請求項１】
便器に溜水を給水するための給水管を水道に接続し、給水管に電磁弁を設けると共に前記電磁弁を動作させるための制御部を設け、断水時にこれを検知して前記電磁弁を閉じるように制御する便器装置において、給水管の電磁弁よりも下流側の部分に該給水管内に給水するための給水口および開閉弁を設けて成ることを特徴とする便器装置。
【請求項２】
請求項１記載の便器装置において、汚物を溜水と一緒に排出するためのターントラップを備え、制御部にてターントラップを制御することを特徴とする便器装置。
【請求項３】
断水時にターントラップをロックするように制御する便器装置において、給水口に水タンクの吐出口を接続した際にこれを検知してターントラップのロックを解除するように制御して成ることを特徴とする請求項２記載の便器装置。
【発明の詳細な説明】
【技術分野】
【０００１】
本発明は、水道に直結され、電磁弁を制御して給水する便器装置に関するものである。
【背景技術】
【０００２】
従来から、水道に直結され、電磁弁を制御して給水する便器装置が知られている（例えば特許文献１参照）。
【０００３】
このような便器装置は、便器に溜水を給水するための給水管を水道に接続し、汚物を溜水と一緒に排出するためのターントラップを便器に備えている。給水管には電磁弁が設けてあり、この電磁弁を開閉させると共に前記ターントラップを動作させるための制御部が設けてある。このものにあっては、給水管の電磁弁を開いて水道水を便器に給水して溜水を形成し、用便後に便器洗浄するには、ターントラップを動作させて汚物を溜水と一緒に排出し、ターントラップを元に戻して再び水道水を便器に給水して溜水を形成するようにしている。このようにすることで、ロータンクを備えた旧来の便器装置と比べて節水が可能となるものである。
【０００４】
ところで、このような便器装置にあっては、水道が断水となった際にこれを検知する断水検知センサが設けてあり、断水時には給水管の電磁弁を閉じるように制御するようにしていた。
【０００５】
このため断水時には、ロータンクを備えた便器装置であればロータンクに水を補給することで通常時と同様の便器洗浄が行えるのに対し、上記従来の便器装置にあっては通常時と同様の便器洗浄を行うことができず洗浄性が低いものであった。
【特許文献１】特開２００３−４１６４５号公報
【発明の開示】
【発明が解決しようとする課題】
【０００６】
本発明は上記の従来の問題点に鑑みて発明したものであって、その目的とするところは、給水管を水道に接続し、汚物を溜水と一緒に排出するためのターントラップを備え、給水管に電磁弁を設けると共に前記電磁弁とターントラップとを動作させるための制御部を設け、断水時にこれを検知して前記電磁弁を閉じるように制御する便器装置において、断水時に通常時と同様の便器洗浄を行うことができる便器装置を提供することを課題とするものである。
【課題を解決するための手段】
【０００７】
上記課題を解決するために本発明の請求項１に係る便器装置は、便器１に溜水Ｗを給水するための給水管３を水道Ｓに接続し、給水管３に電磁弁３１を設けると共に前記電磁弁３１を動作させるための制御部４を設け、断水時にこれを検知して前記電磁弁３１を閉じるように制御する便器装置において、給水管３の電磁弁３１よりも下流側の部分に該給水管３内に給水するための給水口３２および開閉弁３３を設けて成ることを特徴とするものである。このような構成とすることで、断水時に給水管３の給水口３２から給水することで通常時と同様の便器洗浄を行うことができ、また、開閉弁３３を開閉するだけで必要な量の水を容易に給水して便器洗浄が行えるようになる。
【０００８】
また、請求項２記載の発明は、請求項１記載の発明において、汚物を溜水Ｗと一緒に排出するためのターントラップ２１を備え、制御部４にてターントラップ３１を制御することを特徴とするものである。これにより、ターントラップ２１を備えた便器装置にあっても、断水時に給水管３の給水口３２から給水することで通常時と同様の便器洗浄を行うことができる。
【０００９】
また、請求項３記載の発明は、請求項２記載の発明に加えて、断水時にターントラップ２１をロックするように制御する便器装置において、給水口３２に水タンク５の吐出口５２を接続した際にこれを検知してターントラップ２１のロックを解除するように制御して成ることを特徴とするものである。このような構成とすることで、断水時にターントラップ２１のロックを解除して便器１の汚物および溜水Ｗが排出可能となる。
【発明の効果】
【００１０】
本発明にあっては、断水時に給水管の給水口から給水することで通常時と同様の便器洗浄を行うことができて断水時の洗浄性が向上する。
【発明を実施するための最良の形態】
【００１１】
以下、本発明を添付図面に示す実施形態に基いて説明する。まず、便器装置の基本的な構成について説明する。
【００１２】
便器１はボウル部１１を水で洗浄するための便器洗浄手段２を備えた水洗便器である。便器１には、その後部の内部にターントラップブロック２０を内装し、便器１の後部のターントラップブロック２０を配設した部分の上方位置には便器制御部ケース１２が設けてあり、更に、便器１には給水管３が設けてあって、該給水管３の上流端が水道Ｓに接続してある。
【００１３】
ターントラップブロック２０のケース内には、変形性を有する材料で形成した可動自在なターントラップ２１が設けてあり、ターントラップ２１の一端部がボウル部１１の出口に接続してある。ターントラップ２１はターントラップブロック２０のケース外面側に設けた駆動モータ（図４参照）によりターントラップ２１の下流端の開口が上を向く姿勢と下を向く姿勢との間で可動自在となっている。
【００１４】
また、便器１の後部の上面側に設けた便器制御部ケース１２内には、給水管３の途中に電磁弁３１を設けると共に該電磁弁３１及び上記駆動モータを制御するための制御部４が設けてあり、また、ターントラップ２１の下流端の開口が上を向いているのか下を向いているのかを検知するトラップ位置センサ４３（図４参照）が設けてあり、本発明では上記電磁弁３１、ターントラップ２１を駆動する駆動モータ、トラップ位置センサ４３によりボウル部１１を水で洗浄するための便器洗浄手段２が構成してある。
【００１５】
便器洗浄手段２による便器洗浄の動作について説明する。図３には本実施形態における便器洗浄手段２による便器洗浄の動作の例を示している。図３（ｆ）は便器洗浄手段２がオフの状態、つまり、溜水Ｗが便器１に形成されている状態（待機状態）であり、この状態ではターントラップ２１の下流端の開口部が上を向いてターントラップ２１及びボウル部１１内に水が溜まっている。この状態で便器洗浄手段２がオンとなって便器洗浄が開示されると、まず、電磁弁３１が開となって図３（ａ）の矢印に示すように水がボウル部１１に流れ出す、次に、図３（ｂ）、図３（ｃ）のように駆動モータを正転させてターントラップ２１の下流端の開口が下を向くようにターントラップ２１を回動してボウル部１１及びターントラップ２１内の溜水Ｗをターントラップ２１の下流端の開口から排出することで溜水Ｗと共に汚物を排出する。次に、駆動モータを逆転させて図３（ｄ）のようにターントラップ２１を回動させてターントラップ２１の下流端の開口が上を向くようにする。この間、電磁弁３１が開となっていて図３（ｅ）のようにターントラップ２１の下流端の開口部が上を向いた状態でもボウル部１１内に水が供給され、図３（ｆ）のように他端の開口部が上を向いたターントラップ２１及びボウル部１１内に水が溜まると電磁弁３１が閉となり、図３（ｆ）の溜水Ｗが形成された状態（待機状態）になる。
【００１６】
また、便器装置には、水道Ｓが断水状態となっている時にこれを検知する断水検知センサ４１が設けてあり（図４参照）、断水状態か否かの情報は制御部４へと送信される。断水時には、制御部４によって電磁弁３１が閉じられるように制御される。このため断水時には、水道Ｓが断水していない通常時と同様の便器洗浄を行うことができずに洗浄性が低いため、本発明においては、電磁弁３１が閉となっていても便器１に給水可能なように、給水管３の電磁弁３１よりも下流側の部分に給水口３２および開閉弁３３を設けてある。
【００１７】
給水口３２には水道Ｓに接続された管以外の管や容器が接続されるもので、本実施形態では、給水口３２に開閉弁３３を設けた柔軟なホース５１の一端部が接続してあり、このホース５１の他端部にＰＥＴボトル等からなる水タンク５の吐出口５２を接続するものである。
【００１８】
このような構成により、断水時に電磁弁３１が閉となっていても給水管３の給水口３２から給水することで通常時と同様に便器１に給水することができて便器洗浄を行うことが可能となる。また、水タンク５の吐出口５２を給水口３２に接続しておけば、開閉弁３３を開閉するだけで、必要な量の水を容易に給水して便器洗浄が行えるようになる。
【００１９】
また断水時には、便器１に溜水Ｗを確保するためにターントラップ２１はその下流端の開口が上方を向いた状態でロックされるように制御部４によって制御されているため、断水時には便器１の汚物および溜水Ｗは排出することができない。そこで、給水口３２に水道Ｓに接続された管以外の管や容器が接続されている場合にこれを検知する給水口接続検知センサ４２（図４参照）を設け、給水口接続検知センサ４２によって前記管や容器の接続状態が検知された場合、ターントラップ２１のロックを解除するように制御し、便器１の汚物および溜水Ｗが排出可能となるようにしてある。本実施形態では給水口接続検知センサ４２として、ホース５１に設けた開閉弁３３の開閉を検知するセンサを設け、開閉弁３３が開となった時に接続状態と認識するようにしてある。
【００２０】
この場合、水タンク５を上述したようにホース５１を介して給水口３２に接続し、開閉弁３３を開とすると、上述したように接続状態と認識されてターントラップ２１のロックが解除される。そして、便器装置の操作入力部（図示せず）より「洗浄」指令を入力すると、即座にターントラップ２１の下流端の開口が下を向くように回動して汚物および溜水Ｗを排出し、排出後即座にターントラップ２１の下流端の開口が上を向くように回動する「補給水モード」が実行される。そして、水タンク５からの水が便器１に溜まって溜水Ｗが形成されて汚物の排出が完了するものであり、この時、水タンク５から給水される水はほとんど直接排出されることなく便器１に溜水Ｗとして溜まることとなり、断水時の貴重な水を無駄に消費してしまうことが防止される。
【００２１】
また、開閉弁３３の開とするのと連動して「洗浄」指令が入力されるようにしてもよく、これによってより便利に便器洗浄が行えるものである。
【図面の簡単な説明】
【００２２】
【図１】本発明の一実施形態の概略構成図である。
【図２】同上の便器装置の分解斜視図である。
【図３】（ａ）乃至（ｆ）は便器洗浄際の動作順序を示す説明図である。
【図４】同上の制御部の制御ブロック図である。
【符号の説明】
【００２３】
１  便器
２１  ターントラップ
３  給水管
３１  電磁弁
３２  給水口
３３  開閉弁
４  制御部
Ｓ  水道
【図１】
2006200266.tif 000003
【図２】
2006200266.tif 000004
【図３】
2006200266.tif 000005
【図４】
2006200266.tif 000006